(57)【要約】【課題】  配管の解体・組立作業において、工事前に行なっているＲＦＩＤタグと配管，配管と配管の関連付け作業はかなり手間がかかるため、課題になっている。【解決手段】  複数のＲＦＩＤタグを物理的に組にした手段と該ＲＦＩＤタグのＩＤの組を論理的に保存，読み出しする手段を備えたことを特徴とするペアタグタイプのＲＦＩＤタグ，ＲＦＩＤシステム，ＲＦＩＤタグの製造装置及びその製造方法を提供する。【効果】  本発明によれば、工事作業者や使用者が工事前にＲＦＩＤタグの読み取り，書き込み作業をすることなく、正確に対象物を識別するシステムを提供することで、簡単な手順で、効率よく作業支援が実現できる。【選択図】図１
2009064282.tif 000002
【特許請求の範囲】
【請求項１】
データ記憶手段を有するＩＣチップ部と、
無線通信によってデータ情報の受け取り、受け渡しを行う制御部と、
前記データ情報の送受信用のアンテナ部を備えたＲＦＩＤタグにおいて、
該ＲＦＩＤタグに組合せされる他のＲＦＩＤタグのＩＤ情報を前記データ記憶手段に記憶したことを特徴とするＲＦＩＤタグ。
【請求項２】
請求項１のＲＦＩＤタグにおいて、
前記データ記憶手段は組合せされる他のＲＦＩＤタグのＩＤ情報を追記して記憶することを特徴とするＲＦＩＤタグ。
【請求項３】
請求項１のＲＦＩＤタグにおいて、
前記ＲＦＩＤタグは他のＲＦＩＤタグと共に、共通のＲＦＩＤタグ台紙に設けられていることを特徴とするＲＦＩＤタグ。
【請求項４】
請求項１のＲＦＩＤタグにおいて、
前記データ記憶手段は組合せされる他のＲＦＩＤタグのＩＤ情報を暗号化して記憶することを特徴とするＲＦＩＤタグ。
【請求項５】
データ記憶手段を有するＩＣチップ部と、
無線通信によってデータ情報の受け取り、受け渡しを行う制御部と、
前記データ情報の送受信用のアンテナ部を備えたＲＦＩＤタグを用いたＲＦＩＤシステムにおいて、
複数の前記ＲＦＩＤタグのＩＤ情報を読み取り、組合せられたＲＦＩＤタグのＩＤ情報を記憶する記憶手段と、
組合せられたＲＦＩＤタグのＩＤを個々に読み取り、前記記憶手段に照会する読取手段と、
該読取手段により照会された複数のＲＦＩＤタグの組合せ可否を判定する判定手段とを
備えたことを特徴とするＲＦＩＤシステム。
【請求項６】
請求項５のＲＦＩＤシステムにおいて、
前記読取手段は製造時に組合せられたＲＦＩＤタグのＩＤを個々に読み取り、前記記憶手段に照会することを特徴とするＲＦＩＤシステム。
【請求項７】
請求項５のＲＦＩＤシステムにおいて、
前記ＲＦＩＤタグは他のＲＦＩＤタグと共に、共通のＲＦＩＤタグ台紙に設けられていることを特徴とするＲＦＩＤシステム。
【請求項８】
請求項５のＲＦＩＤシステムにおいて、
前記記憶手段は組合せされる複数のＲＦＩＤタグのＩＤ情報を暗号化して記憶することを特徴とするＲＦＩＤシステム。
【請求項９】
請求項５のＲＦＩＤシステムにおいて、
前記読取手段は組合せられたＲＦＩＤタグの１つのＩＤ情報を読み取り、前記記憶手段に照会して、組合せされる他のＲＦＩＤタグのＩＤ情報を出力することを特徴とするＲＦＩＤシステム。
【請求項１０】
データ記憶手段を有するＩＣチップ部と、
無線通信によってデータ情報の受け取り、受け渡しを行う制御部と、
前記データ情報の送受信用のアンテナ部を備えたＲＦＩＤタグを用い、ＲＦＩＤタグをＲＦＩＤタグ台紙に収納する収納手段を有するＲＦＩＤタグの製造装置において、
前記データ情報の送受信を行うリーダー・ライタ手段と、
該リーダー・ライタ手段で読み取った前記ＲＦＩＤタグのＩＤ情報と、他の組合せられるＲＦＩＤタグのＩＤ情報をデータベースに記憶させるデータベース記憶手段と、
前記ＲＦＩＤタグ台紙に前記リーダー・ライタ手段で読み取った前記ＲＦＩＤタグの情報を印字する印字手段を備えたことを特徴とするＲＦＩＤタグの製造装置。
【請求項１１】
請求項１０のＲＦＩＤタグの製造装置において、
前記ＲＦＩＤタグを他のＲＦＩＤタグと組になるように、共通の前記ＲＦＩＤタグ台紙に設けることを特徴とするＲＦＩＤタグの製造装置。
【請求項１２】
請求項１０のＲＦＩＤタグの製造装置において、
前記データベース記憶手段は組合せされるＲＦＩＤタグのＩＤ情報を暗号化して前記データベースに記憶することを特徴とするＲＦＩＤタグの製造装置。
【請求項１３】
データ記憶手段を有するＩＣチップ部と、
無線通信によってデータ情報の受け取り、受け渡しを行う制御部と、
前記データ情報の送受信用のアンテナ部を備えたＲＦＩＤタグを用い、該ＲＦＩＤタグをＲＦＩＤタグ台紙に収納するＲＦＩＤタグの製造方法において、
前記データ情報を読み取る読取ステップと、
該読取ステップで読み取った前記ＲＦＩＤタグのＩＤ情報と、他の組合せられるＲＦＩＤタグのＩＤ情報をデータベースに記憶させるデータベース記憶ステップを備えたことを特徴とするＲＦＩＤタグの製造方法。
【請求項１４】
請求項１３のＲＦＩＤタグの製造方法において、
組にした前記ＲＦＩＤタグをＲＦＩＤタグ台紙に収納した後に、該収納後のＲＦＩＤタグのＩＤ情報を読み取り、組合せられるＲＦＩＤタグのＩＤ情報を前記データベースに記憶させることを特徴とするＲＦＩＤタグの製造方法。
【請求項１５】
請求項１３のＲＦＩＤタグの製造方法において、
組にしたＲＦＩＤタグのＩＤ情報を読み取り、読み取ったＲＦＩＤタグのＩＤ情報を前記データベースに記憶させた後に、前記組にしたＲＦＩＤタグをＲＦＩＤタグ台紙に収納することを特徴とするＲＦＩＤタグの製造方法。
【請求項１６】
請求項１３のＲＦＩＤタグの製造方法において、
前記データベース記憶ステップは、組合せされるＲＦＩＤタグのＩＤ情報を暗号化して前記データベースに記憶することを特徴とするＲＦＩＤタグの製造方法。
【発明の詳細な説明】
【技術分野】
【０００１】
本発明は、ＲＦＩＤタグのＩＤ接続情報を有するペアタグタイプのＲＦＩＤタグ，ＲＦ
ＩＤシステム，ＲＦＩＤタグの製造装置及びその製造方法に関するものである。
【背景技術】
【０００２】
ＲＦＩＤ（Radio Frequency Identification）は、固有ＩＤ情報を埋め込んだタグから、電磁界や電波を用いた近距離の無線通信によって情報をやりとりするもの、および技術全般を指す。ＲＦＩＤは（１）直接的な認識対象となるＩＣチップが封入されたＲＦＩＤタグ、（２）ＲＦＩＤタグ上の情報を読み書きするリーダー・ライタ、（３）読み取った情報を処理する上位システムの３つの構成要素からなる。
【０００３】
さらに、読み取り対象となるタグは、実際のデータ記憶手段を有するＩＣチップ部と、無線通信によってデータ情報の受け取り，受け渡しを行う制御部、前記データ情報の送受信用のアンテナ部から構成されている。
【０００４】
リーダー・ライタは、ＲＦＩＤタグに対して電源を供給するとともに情報の送受信を行うアンテナ部分と、通信内容の受け取り，受け渡しや上位システムとの通信を行う制御部から構成されている。
【０００５】
上位システムは一般的に情報処理用にパソコンが利用され、シリアルポートあるいはＵＳＢポートを経由してリーダー・ライタと通信を行う。
【０００６】
ＲＦＩＤは非接触認証，複数同時認証，汚れの影響を受け難い、読み出し、そして、書き込み機能の特徴を有する。
【０００７】
プラント，鉄道，ビルにおいて、敷設された配管について解体，組立作業を行うとき、設計回路図面から作業仕様書を作成し、作業者は配管の刻印と作業仕様書を参照しながら（または、ペンでマーキングして）、配管の工事作業を行う。
【０００８】
信頼性を重視するためには、配管敷設作業と取替作業からヒューマンエラーを排除する必要があるが、何重のチェックするとしても作業員の意識の高さに依存してしまい、完全なヒューマンエラー排除には至らない。
【０００９】
そこで、いかにヒューマンエラーを解除し、作業性を向上させる問題に対して、例えば、〔特許文献１〕では、ある所定範囲内のすべての設備に、その設備の情報を書き込んだ固有識別子を持たせ、順次認識させることによって設備を図面上で繋げていく支援システムについての技術が開示されている。また、〔特許文献２〕では、配管接続部に、その配管接続部の情報を書き込んだ固有識別子を持たせ、２つの隣接した配管接続部固有識別子はその間に挟まれた配管の敷設姿勢と配管接続部間距離をそれぞれ専用機器で測定することにより関連つけていく敷設情報収集処理方法についての技術が開示されている。
【００１０】
【特許文献２】特開２００６−２６０１１９号公報
【特許文献３】特開２００５−２６８３７６号公報
【発明の開示】
【発明が解決しようとする課題】
【００１１】
従来の〔特許文献１〕に示された技術では、状況が変わるたびにＲＦＩＤタグの情報を  
【００１２】
書き換えなければならない煩雑さがある。また、ＲＦＩＤタグに配管に関する膨大な情報を持たせるため、入力作業に手間がかかると同時に、ＲＦＩＤタグのコストが上がる問題があった。
【００１３】
また、〔特許文献２〕に示された技術では、方位計，傾斜計，レーザ距離計をシステムに持ち込むことで、コスト高を招くと同時に、これらの機器を用いて配管接続部間距離と敷設姿勢を測定する多大な手間が掛かる。いずれにしてもＲＦＩＤタグで管理を行うために、工事を開始する前にＲＦＩＤタグを対象物に貼り付けて、ＲＦＩＤタグに対象物の情報を書き込み、対象物と対象物の関連を参照にＲＦＩＤタグの関連を設定する。このＲＦＩＤタグと対象物、対象物と対象物の関連付け作業はかなり手間とコストがかかるため問題になっていた。
【００１４】
本発明は上記問題点に鑑み、工事作業者や使用者が施工前にＲＦＩＤタグの読み取り，書き込み作業をすることなく、簡単な手順で、効率よく正確に対象物を識別するペアタグタイプのＲＦＩＤタグ，ＲＦＩＤシステム，ＲＦＩＤタグの製造装置及びその製造方法を提供するものである。
【課題を解決するための手段】
【００１５】
上記課題を達成するために、本発明ではデータ記憶手段を有するＩＣチップ部と、無線通信によってデータ情報の受け取り，受け渡しを行う制御部と、前記データ情報の送受信用のアンテナ部を備えたＲＦＩＤタグにおいて、該ＲＦＩＤタグに組合せされる他のＲＦＩＤタグのＩＤ情報を前記データ記憶手段に記憶したことを特徴とするものである。
【００１６】
また、本発明のＲＦＩＤタグにおいて、前記データ記憶手段は組合せされる他のＲＦＩＤタグのＩＤ情報を追記して記憶することを特徴とするものである。
【００１７】
また、本発明のＲＦＩＤタグにおいて、前記ＲＦＩＤタグは他のＲＦＩＤタグと共に、共通のＲＦＩＤタグ台紙に設けられていることを特徴とするものである。
【００１８】
また、本発明のＲＦＩＤタグにおいて、前記データ記憶手段は組合せされる他のＲＦＩＤタグのＩＤ情報を暗号化して記憶することを特徴とするものである。
【００１９】
更に、上記課題を達成するために、本発明ではデータ記憶手段を有するＩＣチップ部と、無線通信によってデータ情報の受け取り，受け渡しを行う制御部と、前記データ情報の送受信用のアンテナ部を備えたＲＦＩＤタグを用いたＲＦＩＤシステムにおいて、複数の前記ＲＦＩＤタグのＩＤ情報を読み取り、組合せられたＲＦＩＤタグのＩＤ情報を記憶する記憶手段と、組合せられたＲＦＩＤタグのＩＤを個々に読み取り、前記記憶手段に照会する読取手段と、該読取手段により照会された複数のＲＦＩＤタグの組合せ可否を判定する判定手段とを備えたことを特徴とするものである。
【００２０】
また、本発明のＲＦＩＤシステムにおいて、前記読取手段は製造時に組合せられたＲＦＩＤタグのＩＤを個々に読み取り、前記記憶手段に照会することを特徴とするものである。
【００２１】
また、本発明のＲＦＩＤシステムにおいて、前記ＲＦＩＤタグは他のＲＦＩＤタグと共に、共通のＲＦＩＤタグ台紙に設けられていることを特徴とするものである。
【００２２】
また、本発明のＲＦＩＤシステムにおいて、前記記憶手段は組合せされる複数のＲＦＩＤタグのＩＤ情報を暗号化して記憶することを特徴とするものである。
【００２３】
また、本発明のＲＦＩＤシステムにおいて、前記読取手段は組合せられたＲＦＩＤタグの１つのＩＤ情報を読み取り、前記記憶手段に照会して、組合せされる他のＲＦＩＤタグのＩＤ情報を出力することを特徴とするものである。
【００２４】
更に、上記課題を達成するために、本発明ではデータ記憶手段を有するＩＣチップ部と、無線通信によってデータ情報の受け取り，受け渡しを行う制御部と、前記データ情報の送受信用のアンテナ部を備えたＲＦＩＤタグを用い、ＲＦＩＤタグをＲＦＩＤタグ台紙に収納する収納手段を有するＲＦＩＤタグの製造装置において、前記データ情報の送受信を行うリーダー・ライタ手段と、該リーダー・ライタ手段で読み取った前記ＲＦＩＤタグのＩＤ情報と、他の組合せられるＲＦＩＤタグのＩＤ情報をデータベースに記憶させるデータベース記憶手段と、前記ＲＦＩＤタグ台紙に前記リーダー・ライタ手段で読み取った前記ＲＦＩＤタグの情報を印字する印字手段を備えたことを特徴とするものである。
【００２５】
また、本発明のＲＦＩＤタグの製造装置において、前記ＲＦＩＤタグを他のＲＦＩＤタグと組になるように、共通の前記ＲＦＩＤタグ台紙に設けることを特徴とするものである。
【００２６】
また、本発明のＲＦＩＤタグの製造装置において、前記データベース記憶手段は組合せされるＲＦＩＤタグのＩＤ情報を暗号化して前記データベースに記憶することを特徴とするものである。
【００２７】
更に、上記課題を達成するために、本発明ではデータ記憶手段を有するＩＣチップ部と、無線通信によってデータ情報の受け取り，受け渡しを行う制御部と、前記データ情報の送受信用のアンテナ部を備えたＲＦＩＤタグを用い、該ＲＦＩＤタグをＲＦＩＤタグ台紙に収納するＲＦＩＤタグの製造方法において、前記データ情報を読み取る読取ステップと、該読取ステップで読み取った前記ＲＦＩＤタグのＩＤ情報と、他の組合せられるＲＦＩＤタグのＩＤ情報をデータベースに記憶させるデータベース記憶ステップを備えたことを特徴とするものである。
【００２８】
また、本発明のＲＦＩＤタグの製造方法において、組にした前記ＲＦＩＤタグをＲＦＩＤタグ台紙に収納した後に、該収納後のＲＦＩＤタグのＩＤ情報を読み取り、組合せられるＲＦＩＤタグのＩＤ情報を前記データベースに記憶させることを特徴とするものである。
【００２９】
また、本発明のＲＦＩＤタグの製造方法において、組にしたＲＦＩＤタグのＩＤ情報を読み取り、読み取ったＲＦＩＤタグのＩＤ情報を前記データベースに記憶させた後に、前記組にしたＲＦＩＤタグをＲＦＩＤタグ台紙に収納することを特徴とするものである。
【００３０】
また、本発明のＲＦＩＤタグの製造方法において、前記データベース記憶ステップは、組合せされるＲＦＩＤタグのＩＤ情報を暗号化して前記データベースに記憶することを特徴とするものである。
【発明の効果】
【００３１】
本発明によれば、工事作業者や使用者が工事前にＲＦＩＤタグの読み取り，書き込み作業をすることなく、簡単な手順で、効率よく正確に対象物を識別するペアタグタイプのＲＦＩＤタグ，ＲＦＩＤシステム，ＲＦＩＤタグの製造装置及びその製造方法を提供することが出来る。
【発明を実施するための最良の形態】
【００３２】
以下に、本発明の実施例を説明する。
【実施例１】
【００３３】
本発明のＲＦＩＤタグの製造方法について実施例を示す。
【００３４】
以下、複数のＲＦＩＤタグを物理的に組にした手段と該ＲＦＩＤタグのＩＤの組を論理的に保存、読み出しする手段を有することを特徴とするＲＦＩＤタグの組をペアタグと呼ぶ。
【００３５】
まず、図１を用いてペアタグの構成を説明する。
【００３６】
ペアタグデータベース１１はＲＦＩＤタグ１５のＩＤ情報を論理的に関連付けて、それらの組をハードディスク、半導体メモリ等の記憶装置に保持する手段である。
【００３７】
ペアタグ１２はＲＦＩＤタグ１５を物理的に関連させ、収納する手段であって、例えば、組となったＲＦＩＤタグ１５を、ペアタグ台紙１３に収納することで実現できる。ペアタグ台紙１３内のＲＦＩＤタグ１５を識別するために、記号，バーコード等の識別子１４を用いて表示しても良い。また、ペアタグ１２に色を持たせ、色で識別することも可能である。
【００３８】
ＲＦＩＤタグ１５は該ＲＦＩＤタグに組合せされる他のＲＦＩＤタグのＩＤ情報を半導体メモリ等のデータ記憶手段に記憶しており、また、組合せされる他のＲＦＩＤタグのＩＤ情報を追記して記憶することで実現できる。また、組合せされる他のＲＦＩＤタグのＩＤ情報を暗号化して記憶することも可能である。ＲＦＩＤタグのＩＤ情報は固有のＩＤ情報と組合せされる他のＲＦＩＤタグのＩＤ情報と区別できるようにすれば良い。
【００３９】
ペアタグ台紙１３は、図２（ａ）に示すように、台紙が厚いものになっている形態や図２（ｂ）に示すように、台紙がチューブの並列接合になっている形態、図２（ｃ）に示すように、台紙がチューブの連続した形態でも良い。また、図２（ｄ）に示すように、同じ台紙が紐によって接続された形態や図２（ｅ）に示すように、台紙が一つの袋になっている形態、図２（ｆ）に示すように、違う台紙が紐によって接続された形態でも良い。さらに、ペアタグ台紙１３は、ペアタグ利用時の利便性を図るために、ペアタグの各ＲＦＩＤタグ毎に分割可能とした形態でも良いし、ペアタグの各ＲＦＩＤタグを容易に取り外せる形態でも良い。
【００４０】
また、ペアタグの組は２つのＲＦＩＤタグだけで構成する必要はなく、３つ以上のＲＦＩＤタグで構成しても良いが、その場合、ＲＦＩＤタグの順番を保持するのが重要である。例えば、図３（ａ）のように、ペアタグの組をリール状の台紙に実装することも可能である。また、図４（ａ）のようにＲＦＩＤタグのセットを単位としたペアタグの組を順番にリールに実装することも可能である。
【００４１】
また、識別子１４の実施例として、図３（ｂ）と図４（ｂ）に示すように、ペアタグリールの端からの長さを示す目盛りを表すようにしても良い。
【００４２】
本発明のペアタグシステムの利用方法について図５，図６，図７を用いて、実施例を示す。
【００４３】
図５は、ペアタグを用いた配管解体，組立作業の構成図である。
【００４４】
ペアタグデータベース１１は、ＲＦＩＤタグ１５のＩＤのペア情報を保持する手段である。ペアタグデータベース１１は製造したペアタグ１２に関する情報を記録しており、ペアタグ１２の製造事業者が管理することが可能である。これにより、ペアタグ使用者からペア情報の問い合わせがインターネット等の通信手段を介してあった場合に、ペアタグ１２の接続情報をキーにして、ペアタグ１２の片方のＲＦＩＤタグＩＤから、組となるもう片方のＲＦＩＤタグＩＤを読み取って、該ペアタグの接続状況を出力，確認及び判定することが出来る。
【００４５】
ペアタグ１２はＲＦＩＤタグ１５を物理的に関連させ、収納させたことを特徴とする手段であって、例えば、組となったＲＦＩＤタグ１５を、ペアタグ台紙１３に収納することで実現できる。
【００４６】
ＲＦＩＤリーダー５１は、ＲＦＩＤタグに対して電波により電力を供給するとともに情報の送受信を行うアンテナ部分と、通信内容のエンコード・デコードや上位システムとの通信を行う制御部から構成されていて、ＲＦＩＤタグの情報を読み取り，保存する手段を備えている。ＲＦＩＤリーダーの読取作業は、ＲＦＩＤタグについて個別認識する形態も良いし、２つのＲＦＩＤタグからなるペアタグ１２を輻輳制御する形態でも良い。
【００４７】
処理装置５２は、例えばパーソナルコンピュータであって、ＲＦＩＤリーダーで読み取った情報を処理する手段である。但し、ＲＦＩＤリーダーで読み取った情報については、リアルタイムに反映しないことも可能である。
【００４８】
表示手段５３は、ＲＦＩＤリーダーで読み取った複数のＲＦＩＤタグの情報について、データベース１１を参照に、ペアタグになっているかどうかの情報、そして、配管の接続が可能かどうかの確認情報を分かりやすく表示する機能を備えている。表示手段５３はＲＦＩＤリーダーに組み込まれた場合、ＲＦＩＤリーダーに内蔵された画面で表示しても良い。また、情報量の多い場合は、ＲＦＩＤリーダーに組み込まないでＬＣＤ等の専用モニターを別に用いて表示しても良い。表示形態としては、例えば、図６（ａ）に示すように、表示手段５３の図面において、施工する対象物６１を表示して、組合せのペアが誤っているＲＦＩＤタグを強調表示６２する形態や、図６（ｂ）に示すように、施工対象の配管の番号を表示して、それらの配管に設けられたＲＦＩＤタグのベアタグの組合せ状況をリスト表示し、そのペアが誤っている場合は「×」印を表示するリストによる表示６３形態や、図６（ｃ）に示すように、施工対象の配管の中から、それらの配管に設けられたＲＦＩＤタグのベアタグの組合せが誤っているＲＦＩＤタグを認識することで、そのＲＦＩＤタグが設けられた配管の組合せの整合性を判定して、配管の組合せが誤っている場合は、例えば「配管No.３と配管Ｎｏ．４は正しく接続されていない」と対象物の組合せの結果を表示するようにした記述による表示６４形態がある。
【００４９】
また、図面による表示形態は色，光，音，メッセージを表示することによって実現可能である。記述による表示形態はその他の表示形態と併用しても良い。
【００５０】
図７は、本発明のペアタグを用いた解体，組立作業の支援方法を示す。
【００５１】
以下、ステップ毎に詳細を説明する。
【００５２】
ステップ１において、前述したペアタグを分割し、それぞれ対応する対象物に貼る。例えば、対象が図５に示した配管である場合、後述するペアタグ製造装置で作ったペアタグをＲＦＩＤタグ毎に分割して、配管Ａとそれに接続する配管Ｂにそれぞれ貼る。また、前記配管Ｂとそれに接続する配管Ｃについても同じ方法でペアタグを貼る。同様に、ペア対象になる配管に次々とペアタグを貼っておく。また、配管Ａ，配管Ｂ，配管Ｃ・・・の順番でペアタグを順番に貼るのも良い。
【００５３】
ステップ２において、作業員が対象物の解体作業を行う。この場合、あるエリアのすべての対象物についてペアタグを貼るのも良いが、解体対象物とそれに接続された対象物のみについてペアタグを貼ることでも作業は可能である。
【００５４】
ステップ３ではＲＦＩＤリーダーを用いて、接続相手対象物を検索する。
【００５５】
ステップ４では組立作業で、ペアタグのＩＤをＲＦＩＤリーダーで読み取りする。配管の組立作業で、配管Ａからそれに接続する配管Ｂを識別する際、まずは、ＲＦＩＤリーダーで配管ＡのＲＦＩＤタグのＩＤ情報を読み取る。
【００５６】
ステップ５は接続相手対象物をチェックする。ペアタグの片方のＲＦＩＤタグが所持しているそれと組合せされる他のＲＦＩＤタグのＩＤ情報あるいはペアタグデータベースでペアタグの接続状況を参照に、配管に配置されたペアタグの片方のＲＦＩＤタグＩＤから、組となるもう片方の配管のＲＦＩＤタグＩＤをＲＦＩＤリーダー読み取ることで、該ペアタグの接続状況を表示装置に出力，確認することが出来る。
【００５７】
これにより、対象の配管に貼ってあるペアタグが組でなければ、接続不可であり、組になっていれば、接続可能な状態であると判断し、図６に示した表示を実施することができる。このような手順を行うことで、配管を誤り無く正確に決められた順番で接続することが可能になる（ステップ６）。
【００５８】
次に、配管の点検作業では、ペアタグに予め対応配管の製造メーカ，製造番号，製造年月日，施設年月日，寿命の情報を持たせ、ＲＦＩＤリーダーでＲＦＩＤタグの読取作業を行う際、メンテナンス，交換が必要な場合は表示装置を用いて表示することで、点検作業を支援することが可能になると同時に、配管の接続状況を確認することが可能になる。
【００５９】
これによって、工事作業者や使用者が工事前にＲＦＩＤリーダーでＲＦＩＤタグを読み取る作業，配管の情報をＲＦＩＤタグに書き込む作業，配管と配管の接続情報を入力する作業をすることなく、正確に対象物を識別して、効率よく分解，組立て作業の支援を実現できる。
【００６０】
以上の実施例では接続対象が配管である場合の作業効果を示したが、本発明は配管に限らず、様々な目的への活用が考えられる。例えば、接続対象がケーブルと端子台の場合の断線，結線作業や；接続対象が機器の場合の解体，組立作業にも本発明のペアタグシステムは適用できる。また、保全分野に限らず、建設，点検分野にも本発明のペアタグ、及びその一連のシステムは適用できる。
【００６１】
次の実施例では、本発明のペアタグを製造する装置および製造過程を示す。
【００６２】
以下、図８にＲＦＩＤタグの製造過程の実施例について説明する。
【００６３】
ペアタグの製造においては、ＲＦＩＤタグを物理的に組にする手段とＲＦＩＤタグのＩＤ情報を論理的に組にする手段はどっちを先に行っても良い。例えば、図８（ａ）のように、ＲＦＩＤタグ導入装置８５でＲＦＩＤタグをペアタグの台紙８２に導入し、ＲＦＩＤタグ収納装置８１で収納することで、物理的にＲＦＩＤタグを組にする作業を行った後に、論理的にＲＦＩＤタグのＩＤ情報をＲＦＩＤリーダー５１で読み取り、データベース１１に保存することで実現できる。
【００６４】
また、図８（ｂ）のように、ＲＦＩＤタグ導入装置８５でＲＦＩＤタグをペアタグの台紙８２に導入し、論理的にＲＦＩＤタグのＩＤ情報をＲＦＩＤリーダー５１で読み取り、データベース１１に保存した後に、ＲＦＩＤタグ収納装置８１でＲＦＩＤタグをペアタグの台紙８２に収納することで、物理的にＲＦＩＤタグを組にする作業を行うことでも実現できる。
【００６５】
次に、図８のペアタグ製造ラインに含まれる全ＲＦＩＤタグのＩＤ及び配列情報をペアタグデータベース１１に格納する工程について、説明する。
【００６６】
ＲＦＩＤリーダー５１が組となるＲＦＩＤタグ１５のＩＤ情報を読み取る。これらのＲＦＩＤタグＩＤ情報はパーソナルコンピュータの処理装置５２に送られた後、ペアタグデータベース１１に記憶される。これにより、ペアタグデータベース１１には全ＲＦＩＤタグのＩＤ及び配列情報が記憶される。このペアタグデータベース１１は、製造したペアタグ１２に関する情報を記録するための装置で、ペアタグ製造事業者が管理することが可能である。これにより、ペアタグ使用者からペアタグ１２の片方のＲＦＩＤタグＩＤから組となるもう片方のＲＦＩＤタグＩＤについてインターネット等のネットワークを介して問い合わせがあった場合に、ペアタグ１２の接続情報をキーにして、ペアタグ１２の片方のＲＦＩＤタグＩＤから、組となるもう片方のＲＦＩＤタグＩＤを読み取ることで、該ペアタグ１２の接続状況を出力，確認することが出来る。
【００６７】
更に、このペアタグデータベース１１中に記憶された全ペアタグ１２の情報は必要に応じて紙や磁気テープ，メモリ又はＣＤ等の電子情報媒体に転送することが可能でありＲＦＩＤリーダー５１の内部に保持することも実現出来る。
【００６８】
また、このペアタグ台紙１３を巻き取る際に、印字装置８３によりペアタグ台紙１３に文字か記号を印字する。これにより、ペアタグ１２がペアタグ台紙１３に入っている位置を示すことができる。この印字する情報は、ペアタグ１２の種類に関する形態や、順番を表す形態、ＲＦＩＤタグ１５のＩＤを表す形態でもよく、その印字された記号から、ペアタグの位置、ペアタグに含まれるＲＦＩＤタグのＩＤ情報を読み取ることが可能になる。また、ペアタグ使用時にもペアタグを専用プリンターに通すことにより、文字や記号の印字を追加する形態も可能である。
【００６９】
よって、ペアタグリール３１の出荷時には、該ペアタグリール３１に含まれる全ＲＦＩＤタグの情報を紙媒体や電子情報媒体４８で提供することにより、使用者はペアタグ１２の接続情報を手がかりに、使用しているペアタグ１２に関する情報をペアタグ製造事業者に問い合わせ、又は電子情報媒体に記憶されたペアタグ１２に関する情報にアクセスすることが可能となる。これにより、使用者自身が各ペアタグ１２に含まれるＲＦＩＤタグ１５のＩＤの関連性を利用して、配管の管理や識別を行うことが出来る。
【００７０】
以上の実施例の説明で重要なことは、ペアタグ１２製造事業者にしろ、配管敷設作業者にしろ、もちろん使用者にとっても一切対象物の情報をタグに書き込む必要がないことである。すなわち、一つとして同じものがないように付与されたＲＦＩＤタグ１５のＩＤ情報をペアタグ製造時に読み取り、ペアタグ毎のＲＦＩＤタグ１５配列情報としてペアタグデータベース１１に格納することで、ペアタグ１２中の任意のＲＦＩＤタグ１５から該ペアタグの接続情報を識別可能になるからである。
【産業上の利用可能性】
【００７１】
本発明によれば、工事作業者や使用者が個々のＲＦＩＤタグの読み取り，書き込み作業をすることなく、正確に対象物を識別するペアタグタイプのＲＦＩＤタグ，ＲＦＩＤシステム，ＲＦＩＤタグの製造装置及びその製造方法を提供することで、簡単な手順で、効率よく作業支援が実現できる。
【図面の簡単な説明】
【００７２】
【図１】本発明で、ペアタグの原理図。
【図２】本発明で、ペアタグの構成の一例。
【図３】本発明で、ＲＦＩＤタグをリールに実装した一例。
【図４】本発明で、ＲＦＩＤタグセットを単位とし、リールに実装した一例。
【図５】本発明で、ペアタグ利用方法の一例。
【図６】本発明で、ペアタグを用いた接続状況表示手段の一例。
【図７】本発明で、ペアタグを用いた対象物解体，組立作業の手順図。
【図８】本発明で、ペアタグの製造装置の構成図。
【符号の説明】
【００７３】
１１  ペアタグデータベース
１２  ペアタグ
１３  ペアタグ台紙
１４  ペアタグの識別子
１５  ＲＦＩＤタグ
３１  ペアタグリール
５１  ＲＦＩＤリーダー
５２  パーソナルコンピュータの処理装置
５３  表示装置
６１  対象物
６２  図による強調表示
６３  リストによる表示
６４  記述による表示
６５  記号による表示
８１  ＲＦＩＤタグ収納装置
８２  台紙
８３  印字装置
８４  台紙リール
８５  ＲＦＩＤタグ導入装置
【図１】
2009064282.tif 000003
【図２】
2009064282.tif 000004
【図３】
2009064282.tif 000005
【図４】
2009064282.tif 000006
【図５】
2009064282.tif 000007
【図６】
2009064282.tif 000008
【図７】
2009064282.tif 000009
【図８】
2009064282.tif 000010